(57)【要約】  【課題】音響処理装置において、チャンネル間の信号における位相の不一致の発生を抑えることができるようにする。  【解決手段】音響処理装置１は、左右チャンネル一対のスピーカ１３，１４にオーディオ信号および測定用信号を出力する出力部と、収音部９ａ，９ｂから出力される測定用信号を入力する入力部と、出力部を介して左右一対のスピーカ１３，１４から測定音を出力し、該測定音を収音した収音部９ａ，９ｂから入力部を介して供給される測定用信号を受け取ることにより、音場測定を行う信号処理部２，３とを備える。信号処理部２，３は、左右チャンネル毎に個別に音場測定を行い、音場測定の結果に基づき、オーディオ信号の周波数特性を補正するための補正データを左右チャンネル毎に算出し、該補正データの一方または平均値に基づき、左右一対のスピーカ１３、１４に供給するオーディオ信号の周波数特性を補正する。【選択図】図１
2008072641.tif 000002
【特許請求の範囲】
【請求項１】
左右チャンネル一対のスピーカにオーディオ信号および測定用信号を出力する出力部と、
収音部から出力される測定用信号を入力する入力部と、
上記出力部を介して上記一対のスピーカに測定用信号を供給して測定音を出力し、該測定音を収音した上記収音部から上記入力部を介して供給される測定用信号を受け取ることにより、音場測定を行う信号処理部と
を備え、
上記信号処理部は、上記左右チャンネル毎に個別に上記音場測定を行い、上記音場測定の結果に基づき、オーディオ信号の周波数特性を補正するための補正データを上記左右チャンネル毎に算出し、該補正データの一方または平均値に基づき、上記一対のスピーカに供給するオーディオ信号の周波数特性を補正することを特徴とする音響処理装置。
【請求項２】
上記補正データは、中心周波数ｆ0、ゲインＧおよび尖鋭度Ｑであることを特徴とする請求項１記載の音響処理装置。
【請求項３】
上記信号処理部は、上記補正データの一方または平均値に基づき、上記一対のスピーカに供給するオーディオ信号の周波数特性を補正するパラメトリックイコライザを備えることを特徴とする請求項１記載の音響処理装置。
【請求項４】
上記一対のスピーカは、少なくとも左右チャンネル一対の組を複数組備えるサラウンドスピーカのうちの一対であることを特徴とする請求項１記載の音響処理装置。
【請求項５】
上記一対のスピーカは、聴取者の側方または後方に配置される一対のスピーカであることを特徴とする請求項１記載の音響処理装置。
【請求項６】
左右チャンネル一対のスピーカと、
上記一対のスピーカから出力された測定音を収音する収音部と、
上記一対のスピーカに出力するオーディオ信号の周波数特性を補正する音響処理装置と
を備え、
上記音響処理装置は、
上記一対のスピーカにオーディオ信号および測定用信号を出力する出力部と、
上記収音部から出力される測定用信号を入力する入力部と、
上記出力部を介して上記一対のスピーカに測定用信号を供給して測定音を出力し、該測定音を収音した上記収音部から上記入力部を介して供給される測定用信号を受け取ることにより、音場測定を行う信号処理部と
を備え、
上記信号処理部は、上記左右チャンネル毎に個別に上記音場測定を行い、上記音場測定の結果に基づき、オーディオ信号の周波数特性を補正するための補正データを上記左右チャンネル毎に算出し、該補正データの一方または平均値に基づき、上記一対のスピーカに供給するオーディオ信号の周波数特性を補正することを特徴とする音響処理システム。
【請求項７】
左右チャンネル毎に個別に音場測定をするステップと
上記音場測定の結果に基づき、オーディオ信号の周波数特性を補正するための補正データを上記チャンネル毎に算出するステップと、
上記補正データの一方または平均値に基づき、上記左右チャンネル一対のスピーカに供給するオーディオ信号の周波数特性を補正するステップと
を備えることを特徴とする音響処理方法。
【発明の詳細な説明】
【技術分野】
【０００１】
この発明は、音響処理装置および音響処理方法、ならびに音響処理システムに関する。詳しくはスピーカから出力されるオーディオ信号の周波数特性を補正する音響処理装置に関する。
【背景技術】
【０００２】
近年、自動音場補正機能を有する音響処理システムは広く知られている。自動音場補正機能は、測定音を各スピーカから出力し、各スピーカから出力された測定音を聴取位置に設置されたマイクロフォンで収音し、収音したオーディオ信号の周波数特性、オーディオ信号全体の音圧レベル、各チャンネルのオーディオ信号の遅延時間と、予め設定されている周波数特性、音圧レベル、遅延時間などとを比較し、その差分を除去するように各チャンネルのオーディオ信号の周波数特性、オーディオ信号全体の音圧レベル、各チャンネルのオーディオ信号の遅延時間を補正するものである。
【０００３】
従来、このような音響処理システムには、複数チャンネルのオーディオ信号の周波数特性を補正するためのイコライザ装置と、イコライザ装置からチャンネル毎に出力されるオーディオ信号を遅延するディレイ装置とが備えられ、ディレイ装置から出力信号がスピーカに供給されるようになっている。また、近年では、イコライザ装置としてパラメトリックイコライザ装置を用いて、比較的少ない計算量で効果的に周波数特性を補正することがなされるようになっている。
【０００４】
従来のパラメトリックイコライザによる周波数補正において、左右独立でそれぞれのチャンネルに最適化した補正を行う場合、イコライザ装置に設定されるパラメータが左右で異なる。各スピーカ間に相関がない音を再生する場合、問題は発生しないが、ステレオ再生やマルチチャンネル再生のようにスピーカ間に相関がある音楽、および映画音声を再生する場合、左右で音の位相の進み方が異なってしまい、音像の定位が悪くなり、聴取者が違和感を受けるという問題がある。
【０００５】
そこで、チャンネル間の信号に位相の不一致が発生することを防止する音響処理装置が提案されている。この音響処理装置では、左右一対のスピーカから同時に測定音を出力し、この測定音を収音部により収音して音場測定し、この測定結果に基づき補正パラメータを算出し、上記左右一対のスピーカに対応するイコライザ装置の両方に設定する（例えば特許文献１参照）。
【０００６】
【特許文献１】特開２００２−３３０４９９号公報
【発明の開示】
【発明が解決しようとする課題】
【０００７】
しかしながら、上述の音響処理装置では、左右一対のスピーカから同時に音を出力すると、それぞれのスピーカから出力された音が干渉により打ち消し合い、または増強し合ってしまい、音場測定に悪影響を与えることがある。
【０００８】
また、上述の音響処理装置では、聴取位置から各スピーカまでの距離や再生音圧レベルなどを測定するためには、左右チャンネル毎に個別に音場測定をさらに行う必要があり、音場測定が煩雑になるという問題がある。
【０００９】
したがって、この発明の目的は、音場測定に悪影響を与えたり、音場測定を煩雑にしたりすることなく、チャンネル間の信号における位相の不一致の発生を抑えることができる音響処理装置および音響処理方法、ならびに音響処理システムを提供することにある。
【課題を解決するための手段】
【００１０】
上述の課題を解決するために、この発明の第１の発明は、左右チャンネル一対のスピーカにオーディオ信号および測定用信号を出力する出力部と、
収音部から出力される測定用信号を入力する入力部と、
出力部を介して一対のスピーカに測定用信号を供給して測定音を出力し、該測定音を収音した収音部から入力部を介して供給される測定用信号を受け取ることにより、音場測定を行う信号処理部と
を備え、
信号処理部は、左右チャンネル毎に個別に音場測定を行い、音場測定の結果に基づき、オーディオ信号の周波数特性を補正するための補正データを左右チャンネル毎に算出し、該補正データの一方または平均値に基づき、一対のスピーカに供給するオーディオ信号の周波数特性を補正することを特徴とする音響処理装置である。
【００１１】
この発明の第２の発明は、左右チャンネル一対のスピーカと、
一対のスピーカから出力された測定音を収音する収音部と、
一対のスピーカに出力するオーディオ信号の周波数特性を補正する音響処理装置と
を備え、
音響処理装置は、
一対のスピーカにオーディオ信号および測定用信号を出力する出力部と、
収音部から出力される測定用信号を入力する入力部と、
出力部を介して一対のスピーカに測定用信号を供給して測定音を出力し、該測定音を収音した収音部から入力部を介して供給される測定用信号を受け取ることにより、音場測定を行う信号処理部と
を備え、
信号処理部は、左右チャンネル毎に個別に音場測定を行い、音場測定の結果に基づき、オーディオ信号の周波数特性を補正するための補正データを左右チャンネル毎に算出し、該補正データの一方または平均値に基づき、一対のスピーカに供給するオーディオ信号の周波数特性を補正することを特徴とする音響処理システムである。
【００１２】
この発明の第３の発明は、左右チャンネル毎に個別に音場測定をするステップと
音場測定の結果に基づき、オーディオ信号の周波数特性を補正するための補正データをチャンネル毎に算出するステップと、
補正データの一方または平均値に基づき、左右チャンネル一対のスピーカに供給するオーディオ信号の周波数特性を補正するステップと
を備えることを特徴とする音響処理方法である。
【００１３】
この発明では、左右チャンネル毎に個別に音場測定を行い、該音場測定の結果に基づき、オーディオ信号の周波数特性を補正するための補正データを左右チャンネル毎に算出し、補正データの一方または平均値に基づき、左右チャンネル一対のスピーカに供給するオーディオ信号の周波数特性を補正するので、チャンネル間のオーディオ信号における位相の不一致の発生を抑えることができる。
【発明の効果】
【００１４】
以上説明したように、この発明によれば、左右チャンネルのオーディオ信号の位相特性を同じにできるので、音の定位感を良好にできる。したがって、記録媒体などから映像データとオーディオデータとを同時に再生した場合でも、映像上の物の移動と、音像の移動との違和感を無くすことができる。
【発明を実施するための最良の形態】
【００１５】
以下、この発明の実施形態について図面を参照しながら説明する。
【００１６】
（第１の実施形態）
図１は、この発明の第１の実施形態による音響処理システムの構成の一例を示す。この音響処理システム１００は、図１に示すように、音響処理装置１、スピーカ１２〜１９および第１および第２の収音部９ａ，９ｂを備える。また、音響処理装置１は、図１に示すように、ＣＰＵ（Central Processing Unit）２、ＤＳＰ（Digital Signal Processer）３、ＤＩＲ（Digital Interface Recevier）４、マイクアンプ５、Ａ／Ｄ（Analog to Digital）変換部６、操作部７およびアンプ８を備える。ＤＩＲ４に対して再生装置１０が接続され、マイクアンプ５に対して第１および第２の収音部９ａ，９ｂが接続され、アンプ８に対して複数のスピーカ１２〜１９が接続されている。
【００１７】
この音響処理システムは、音響聴取環境１１の所定の位置に配置された複数のスピーカ１２〜１９に測定用の測定用信号を供給して出力された音を、互いに所定の距離だけ離して、所定位置に、すなわち、任意の受聴位置Ｐの付近に配置された第１および第２の収音部９ａ，９ｂにより収音することで得られた第１および第２の収音信号から算出した測定データに基づいて、複数のスピーカ１２〜１９の音響特性および周波数特性を補正するとともに仮想音像定位処理を行うものである。
【００１８】
スピーカ１２〜１９は、音響聴取環境１１の所定位置に配置される。例えば、７．１チャンネルスピーカシステムの場合には、聴取位置Ｐの前方にスピーカ（フロント左スピーカ、フロント右スピーカ）１３，１４と、スピーカ（センタスピーカ）１２とが配置されている。また、聴取位置の後方にスピーカ（サラウンド左スピーカ、サラウンド右スピーカ）１５，１６と、スピーカ（サラウンドバック左スピーカ、サラウンドバック右スピーカ）１７，１８とが配置されている。さらに、任意の位置に低域再生専用のスピーカ（サブウーファスピーカ）１９が配置されている。
【００１９】
第１および第２の収音部９ａ，９ｂは、ユーザが実際に聴取する聴取位置Ｐの付近に配置され、例えば聴取位置Ｐの両側、すなわち聴取位置Ｐから反対方向に同じ距離だけ離間して配置される。すなわち、第１および第２の収音部９ａ，９ｂが配置された位置の中間位置に聴取位置Ｐが位置するように配置される。なお、ここでは、上述のように、第１および第２の収音部９ａ，９ｂが聴取位置Ｐの両側から同じ距離だけ離間して配置するように構成したが、第１および第２の収音部９ａ，９ｂの配置はこれに限られるものではなく、第１および第２の収音部９ａ，９ｂが配置された位置から、聴取位置Ｐが特定できるような配置であればよい。
【００２０】
操作部７は、ユーザがＣＰＵ２を操作するためのＵ／Ｉ（User Interface）であり、例えば音響特性測定モードの開始操作などがなされる。再生装置１０は、例えばＢＤ（Blu−ray Disc）やＨＤ−ＤＶＤ（Heigh Definition Digital Versatile Disc）などの光ディスクを再生する光ディスク再生装置であり、光ディスクなどの記録媒体から再生された再生信号がＤＩＲ４に供給される。ＤＩＲ４は、再生装置１０から供給された再生信号をＤＳＰ３に入力するための変換処理を行い、ＤＳＰ３に供給する。
【００２１】
収音部９ａ，９ｂは、測定用信号が供給された各スピーカ１２〜１９から出力された測定音を収音するマイクロフォンなどであり、収音した測定音を収音信号に変換してマイクアンプ５に供給する。マイクアンプ５は、第１および第２の収音部９ａ，９ｂから第１および第２の収音信号を増幅しＡ／Ｄ変換部６に供給する。Ａ／Ｄ変換部６は、マイクアンプ５で増幅された第１および第２の収音信号をディジタル信号に変換してＤＳＰ３に供給する。
【００２２】
ＤＳＰ３は、ＣＰＵ２からの制御信号に基づき音場測定を行う。具体的には、アンプ８を介して複数のスピーカ１２〜１９に測定用信号を供給し、スピーカ１２〜１９から測定音を出力し、その測定音を収音した収音部９ａ，９ｂから供給される収音信号に基づき、収音部９ａ，９ｂと各スピーカ１２〜１９との距離測定、各スピーカ１２〜１９からの再生音圧レベルが同一となるためのレベル補正計算、各スピーカ１２〜１９の再生周波数特性が目標特性、例えば全再生周波数領域において均一となるための周波数補正計算を行い、これらの測定結果を測定データとしてＣＰＵ２へ転送する。
【００２３】
また、ＤＳＰ３は、再生装置１０からオーディオ信号を再生したときには、ＣＰＵ２から補正データを受け取り、この補正データに基づき、再生装置１０からＤＩＲ４を介して供給されるオーディオ信号に対して音場補正処理を施し、アンプ８に供給する。
【００２４】
図２は、ＤＳＰ３における音場補正処理の一例を説明するためのものである。ＤＳＰ３は、音場処理装置２１、イコライザ装置２２1〜２２8およびディレイ装置２３1〜２３8を備える。
【００２５】
音場処理装置２１は、ＤＩＲ４から供給される各チャンネルのオーディオ信号に対して残響付加などの音場処理を施し、イコライザ装置２２1〜２２8に供給する。この音場処理は、例えば、目に見えない仮想的なスピーカの生成や、所定のスタジオや映画館などの空間残響特性の再現などをするための処理である。イコライザ装置２２1〜２２8は、いわゆるパラメトリックイコライザであり、ＣＰＵ２から与えられるパラメータである中心周波数ｆ0、ゲインＧおよび尖鋭度Ｑに基づき、音場処理装置２１から供給される各チャンネルのオーディオ信号の周波数特性を補正し、ディレイ装置２３1〜２３8に供給する。なお、イコライザ装置に与えるパラメータは、例えば上記周波数補正計算で算出される。
【００２６】
図３は、イコライザ装置２２1〜２２8の周波数特性の一例を示す。なお、図３中、周波数軸（横軸）は対数軸である。周波数特性は、中心周波数ｆ0、ゲインＧおよび尖鋭度Ｑのパラメータにより設定される。各チャンネルに対応するイコライザ装置２２1〜２２8は、各帯域毎に周波数特性を補正するように構成されている。すなわち、オーディオ周波数帯域を例えば６つの帯域に分割し、各帯域毎にイコライザ装置２２1〜２２8のパラメータを設定し、オーディオ信号に対する周波数特性の補正を行う。
【００２７】
ディレイ装置２３1〜２３8は、ＣＰＵ２から供給される制御信号に基づき、イコライザ装置２２1〜２２8から供給される各チャンネルのオーディオ信号の遅延時間を変化させて、例えばスピーカ１２〜１９と聴取位置Ｐとの間の距離を補正する。
【００２８】
ＣＰＵ２は、図示しないＲＯＭ（Read Only Memory）に予め格納されたプログラムに従い、図示しないＲＡＭ（Random Access Memory）をワークメモリとして各部を制御する。例えば、操作部７にて音響特性測定モードが選択された場合には、ＤＳＰ３を制御して測定用信号をアンプ８に供給し、アンプ８から測定用信号を出力する。また、収音部９ａ，９ｂにて収音された測定音に基づきＤＳＰ３にて算出された測定データを格納し、オーディオ信号の再生時には、上記測定データに基づきＤＳＰ３を制御する。アンプ８は、ＤＳＰ３から供給される測定用信号およびＤＳＰ３で処理されたオーディオ信号を増幅し各スピーカ１２〜１９に供給する。
【００２９】
図４は、音響処理装置１における平均化処理の一例を説明するためのものである。なお、図４中、周波数軸（横軸）は対数軸である。ここでは、例として、フロント左右チャンネルのオーディオ信号の周波数特性を補正する場合について説明する。
【００３０】
まず、図４Ａおよび図４Ｂに示すように、ＤＳＰ３において、フロント左右チャンネル毎にパラメータを算出する。すなわち、中心周波数ｆL1，ｆL2,ｆL3，・・・、中心周波数ｆR1，ｆR2,ｆR3，・・・、ゲインＧL1，ＧL2，ＧL3，・・・、ゲインＧR1，ＧR2，ＧR3・・・、および尖鋭度ＱL1，ＱL2，ＱL3・・・、尖鋭度ＱR1，ＱR2，ＱR3・・・を算出する。
【００３１】
次に、ＣＰＵ２において、ＤＳＰ２にて算出したパラメータを、フロント左右チャンネル毎に中心周波数が低いものから順に並び直す。その後、図４Ｃに示すように、ＣＰＵ２において、中心周波数が低いものから順に左右のチャンネルのペアでパラメータの平均値、すなわち中心周波数平均値ｆave1＝１０(logfL1+logfR1)/2、ｆave2＝１０(logfL2+logfR2)/2、ｆave3＝１０(logfL3+logfR3)/2・・・、ゲイン平均値Ｇave1＝（ＧL1＋ＧR1）／２、Ｇave2＝（ＧL2＋ＧR2）／２、Ｇave3＝（ＧL3＋ＧR3）／２・・・、尖鋭度Ｑave1＝（ＱL1＋ＱR1）／２、Ｑave2＝（ＱL2＋ＱR2）／２、Ｑave3＝（ＱL3＋ＱR3）／２・・・を算出する。
【００３２】
次に、図５を参照して、音響処理装置１の動作の一例について説明する。ここでは、例として、フロント左右チャンネルのオーディオ信号に音場補正処理をする場合について説明する。
【００３３】
まず、ステップＳ１において、操作部７により音響特性測定モードの開始操作がなされると、ＣＰＵ２の格納部からＤＳＰ３に音響特性測定プログラムが読み出され、ＤＳＰ３で音響特性測定プログラムが起動される。
【００３４】
次に、ステップＳ２において、ＤＳＰ３は、音響特性測定プログラムに基づき、収音部９ａ，９ｂから供給される収音信号を用いて、左右一対のスピーカ１３，１４の周波数特性や位置情報などの測定データを左右チャンネル毎に求める。
【００３５】
次に、ステップＳ３において、ＣＰＵ２が、ＤＳＰ３にて左右チャンネル毎に求められた周波数特性や位置情報などの測定データをＤＳＰ３から取得する。
【００３６】
次に、ステップＳ４において、ＣＰＵ２が、ＤＳＰ３から取得した測定データに含まれる左右チャンネルの周波数特性補正用のパラメータを、左右チャンネル毎に中心周波数が低いものから順に並び直す。そして、中心周波数が低いものから順に左右チャンネルのペアでパラメータの平均値を算出する。
【００３７】
次に、ステップＳ５において、ＣＰＵ２は、ステップＳ４にて平均化処理したパラメータをＤＳＰ３のイコライザ装置２２1，２２2に設定する。したがって、フロント左右チャンネルのオーディオ信号に対する周波数特性の補正処理が同じになる。次に、ステップＳ６において、ＤＳＰ３は、設定されたパラメータに基づき音場補正処理を行う。
【００３８】
（第２の実施形態）
この第２の実施形態は、上述の第１の実施形態において、左チャンネルおよび右チャンネルの周波数特性補正用のパラメータの平均値を算出する代わりに、左チャンネルおよび右チャンネルの周波数補正量の大小により、左チャンネルおよび右チャンネルの周波数特性補正用のパラメータのどちらか一方を選択するものである。
【００３９】
具体的には、ＣＰＵ２が、左チャンネルのゲインＧの絶対値の加算値ＧLS＝│ＧL1│＋│ＧL2│＋│ＧL3│＋・・・と、右チャンネルのゲインＧの絶対値の加算値ＧRS＝│ＧR1│＋│ＧR2│＋│ＧR3│＋・・・を算出し、加算値ＧLSと加算値ＧRSとを比較し、これらの加算値のうち値が小さい方または大きい方の周波数補正用のパラメータ、すなわち左チャンネルおよび右チャンネルのいずれか一方をイコライザ装置２２1，２２2に設定する。
【００４０】
（第３の実施形態）
この第３の実施形態は、上述の第１の実施形態において、左チャンネルおよび右チャンネルの周波数補正用のパラメータの平均値を算出する代わりに、所定の周波数帯域における周波数補正量の大小により、左チャンネルおよび右チャンネルの周波数補正用のパラメータのどちらか一方を選択するものである。
【００４１】
具体的には、ＣＰＵ２が、所定の周波数帯域Δｆにおける左チャンネルのゲインＧLと右チャンネルのゲインＧRとの大小を判別し、これらのゲインのうち小さい方または大きい方の周波数補正用のパラメータ、すなわち左チャンネルおよび右チャンネルのいずれか一方をイコライザ装置２２1，２２2に設定する。
【００４２】
（第４の実施形態）
この第４の実施形態は、上述の第１の実施形態において、左チャンネルおよび右チャンネルの周波数補正用のパラメータの平均値を算出する代わりに、所定の周波数帯域毎に周波数補正量の大小を判別し、各周波数帯域毎に補正量が大きい方または小さい方の周波数補正用のパラメータを選択するものである。
【００４３】
具体的には、ＣＰＵ２が、各周波数帯域Δｆ毎に左チャンネルのゲインＧLと右チャンネルのゲインＧRとの大小を判別し、これらのゲインのうち小さい方または大きい方の周波数補正用のパラメータをイコライザ装置２２1，２２2に設定する。
【００４４】
（第５の実施形態）
この第５の実施形態は、上述の第１の実施形態において、左チャンネルおよび右チャンネルの周波数補正用のパラメータの平均値を算出する代わりに、左チャンネルの周波数補正量と右チャンネルの周波数補正量との差分を算出し、この補正量の差分が所定値以上である場合には、左チャンネルおよび右チャンネルのオーディオ信号に対して周波数特性の補正処理を施し、この補正量の差分が所定値未満である場合には、左チャンネルおよび右チャンネルのオーディオ信号に対して周波数特性の補正処理を施さないようにするものである。
【００４５】
具体的には、ＣＰＵ２が、左チャンネルのゲインＧの絶対値の加算値ＧLS＝│ＧL1│＋│ＧL2│＋│ＧL3│＋・・・と、右チャンネルのゲインＧの絶対値の加算値ＧRS＝│ＧR1│＋│ＧR2│＋│ＧR3│＋・・・を算出する。そして、これらの加算値ＧLSと加算値ＧRSとの差分│ＧLS−ＧRS│を算出し、この差分│ＧLS−ＧRS│が所定値ΔＧ以上であるか否かを判別し、ΔＧ以上である場合には、左チャンネルおよび右チャンネルの周波数補正用のパラメータのいずれか一方または平均値をイコライザ装置２２1，２２2に設定し、ΔＧ未満である場合には、左チャンネルおよび右チャンネルのオーディオ信号に対して周波数特性の補正処理を施さないようにする。
【００４６】
また、ＣＰＵ２が、所定の周波数帯域Δｆにおける左チャンネルのゲインＧLと右チャンネルのゲインＧRとの差分│ＧL−ＧR│を算出し、この差分│ＧL−ＧR│が所定値ΔＧ以上であるか否かを判別し、ΔＧ以上である場合には、左チャンネルおよび右チャンネルの周波数補正用のパラメータのいずれか一方または平均値をイコライザ装置２２1，２２2に設定し、ΔＧ未満である場合には、左チャンネルおよび右チャンネルのオーディオ信号に対して周波数特性の補正処理を施さないようにしてもよい。
【００４７】
また、ＣＰＵ２が、各周波数帯域Δｆ毎に左チャンネルのゲインＧLと右チャンネルのゲインＧRとの差分│ＧL−ＧR│を算出し、この差分│ＧL−ＧR│が所定値ΔＧ以上であるか否かを判別し、ΔＧ以上である場合には、左チャンネルおよび右チャンネルの周波数補正用のパラメータのいずれか一方または平均値をイコライザ装置２２1，２２2に設定し、ΔＧ未満である場合には、左チャンネルおよび右チャンネルのオーディオ信号に対して周波数特性の補正処理を施さないようにしてもよい。
【００４８】
以上、この発明の第１〜第５の実施形態について具体的に説明したが、この発明は、上述の第１〜第５の実施形態に限定されるものではなく、この発明の技術的思想に基づく各種の変形が可能である。
【００４９】
例えば、上述の第１〜第５の実施形態において挙げた数値はあくまでも例に過ぎず、必要に応じてこれと異なる数値を用いてもよい。また、上述の第１〜第５の実施形態の各構成は、この発明の主旨を逸脱しない限り、互いに組み合わせることが可能である。
【００５０】
また、上述の第１〜第５の実施形態では、ＣＰＵ２においてパラメータの平均値を算出する場合について説明したが、音場測定時にＤＳＰ３における周波数補正計算の際に、左チャンネルおよび右チャンネルの周波数特性補正用のパラメータの平均値を算出し、左チャンネルおよび右チャンネルの周波数特性補正補正用のパラメータが予め同じとなるようにしてもよい。
【００５１】
また、上述の第１〜第５の実施形態では、フロント左チャンネルおよびフロント右チャンネルのオーディオ信号に対して周波数特性の補正処理を施す場合について説明したが、サラウンド左チャンネルおよびサラウンド右チャンネル、ならびにサラウンドバック左チャンネルおよびサラウンドバック右チャンネルなどのオーディオ信号に対して周波数補正特性の補正処理を施すようにしてもよい。なお、周波数補正特性の補正処理を施すオーディオ信号としては、サラウンド左チャンネルおよびサラウンド右チャンネル、ならびにサラウンドバック左チャンネルおよびサラウンドバック右チャンネルなどのユーザの側方または後方から出力されるチャンネルのオーディオ信号が好ましい。適切なサラウンド効果を得るためには、サラウンド左チャンネルおよびサラウンド右チャンネル、ならびにサラウンドバック左チャンネルおよびサラウンドバック右チャンネルなどのオーディオ信号に位相のずれが少ないことが好ましいからである。
【図面の簡単な説明】
【００５２】
【図１】この発明の第１の実施形態による音響処理システムの構成の一例を示すブロック図である。
【図２】ＤＳＰにおける音場補正処理の一例を説明するためのブロック図である。
【図３】イコライザ装置の周波数特性の一例を示す略線図である。
【図４】この発明の第１の実施形態による音響処理装置における平均化処理の一例を説明するための略線図である。
【図５】この発明の第１の実施形態による音響処理装置の動作の一例について説明するためのフローチャートである。
【符号の説明】
【００５３】
１・・・音響処理装置、２・・・ＣＰＵ、３・・・ＤＳＰ、４・・・ＤＩＲ、５・・・マイクアンプ、６・・・Ａ／Ｄ変換部、７・・・操作部、８・・・アンプ、９ａ，９ｂ・・・収音部、１０・・・再生装置、１１・・・音響聴取環境、１２〜１９・・・スピーカ、２１・・・音場処理装置、２２・・・イコライザ装置、２３・・・ディレイ装置
【図１】
2008072641.tif 000003
【図２】
2008072641.tif 000004
【図３】
2008072641.tif 000005
【図４】
2008072641.tif 000006
【図５】
2008072641.tif 000007